(57)【要約】【課題】本発明は、従来技術における段ボールの緩衝効果及び組立強度が不足している問題を解決するものである。【解決手段】板材によって一体成形する梱包用構造であって、前記板材は、スコアと、スコアによって定義する第一側板及び第二側板とを有し、前記第一側板は複数の補助罫線及びこれ等補助罫線によって定義する第一区間を有し、前記第二側板は複数のクリーズ及びこれ等クリーズによって定義する第二区間を有し、そのうち、前記板材は前記スコアを折曲し、さらに前記第一側板の前記補助罫線及び前記第二側板のクリーズを折曲することにより、前記第一側板及び前記第二側板が囲繞することにより物品を収納することができる幾何形状の収容空間を形成し、前記第一区間及び前記第二区間で形成する二層構造により物品が外部から受ける衝撃を低減することができる。【選択図】図２
2017100765.tif 000002
【特許請求の範囲】
【請求項１】
板材によって一体成形する梱包用構造であって、
前記板材は、前記板材の相対する両側端を貫通するスコアを設置し、前記スコアによって第一側板及び第二側板を定義し、前記第一側板は、間隔を置いて設ける複数の補助罫線と、これ等補助罫線によって定義される複数の第一区間とを有し、前記第二側板は、これ等補助罫線の内の一つにそれぞれ対応するように設置する複数のクリーズと、これらクリーズによって定義されるように形成し且つ前記第一区間の内の一つとそれぞれ対応する複数の第二区間とを有し、前記スコアは半切線であって、これ等クリーズはそれぞれ半切れの態様を呈し、各前記補助罫線はそれぞれ折り目であって、前記第二側板の末端にある前記第二区間は第一嵌合板を凸設し、前記第二区間にあるもう一端は第一嵌合スロットを設け、前記板材は、展開状態と、前記スコアにより前記第一側板及び前記第二側板を重ね合せ、また前記第一側板は各前記補助罫線を内側に折曲し、前記第二側板は各前記クリーズを外側に折曲し、前記第二側板にある前記第一嵌合板及び前記第一嵌合スロットを嵌合し、前記第一側板及び前記第二側板を囲繞することで幾何形状の収容空間を形成する使用状態とを具備することを特徴とする梱包用構造。
【請求項２】
前記第一嵌合板を設ける前記第二区間の長さは、これに対応する前記第一区間の長さより長いことを特徴とする請求項１に記載の梱包用構造。
【請求項３】
前記板材は、前記第二区間の内の一つの前記第一区間に相対するもう一端に形成するフラップを具備し、前記フラップの形状は前記幾何形状の収容空間に符合することを特徴とする請求項１に記載の梱包用構造。
【請求項４】
前記板材は、前記フラップの前記第二区間に隣接していない任意の一側に形成する第二嵌合板と、もう一つの第二区間に設置する前記第二嵌合板を嵌合するための第二嵌合スロットを有することを特徴とする請求項３に記載の梱包用構造。
【発明の詳細な説明】
【技術分野】
【０００１】
本発明は、梱包用構造、特に二重構造で保護効果を向上して組立強度を強化する梱包用構造に関するものである。
【背景技術】
【０００２】
現在、貨物の取引が頻繁になるにつれ、貨物の輸送過程における外力によって損傷が発生することを避けるために、段ボール箱及び緩衝梱包材が物品の輸送において広く使用されている。そのうち、段ボール箱は、軽量で強固なだけでなく、その内部は、フルーテッドに加工した中芯が有する弾性及び耐震機能が内部にある物品をさらに保護することができ、さらに、外部の衝撃によって発生する物品の損害を低減することができる。例えば、特許文献１に記載の段ボールの改良構造は、サラウンド側板と、前記サラウンド側板の両側に設ける複数のカバー翼板とを包括し、且つ少なくとも一つの前記カバー翼板は、位置決め突起部を有している。前記段ボールの改良構造は、実施過程において、前記サラウンド側板が囲繞することで収容空間を形成し、これ等カバー翼板は、折り曲げられて前記空間の相対する両側を被覆し、且つ前記位置決め突起部は、折り曲げられて前記サラウンド側板に接合することで、物品を内部に収納することが可能な梱包用構造を形成している。
【０００３】
しかしながら、前記サラウンド側板及び前記カバー翼板は全て単層構造であるため、前記段ボール改良構造は使用過程において衝撃により容易に凹みができ、また前記段ボールの改良構造は折曲によって箱形に形成し、前記位置決め突起部が前記サラウンド側板に接合して固定しているものに過ぎず、前記段ボール改良構造が使用の過程において前記位置決め突起部の接合面接が小さいため、脱離や分離といった状況が発生し易く、前記段ボール改良構造が箱形の構造を維持しつつ物品を満載することができない。
【先行技術文献】
【特許文献】
【０００４】
【特許文献１】台湾実用新案公告第Ｉ２７１３６３号
【発明の概要】
【発明が解決しようとする課題】
【０００５】
本発明の目的は、従来技術における段ボールの緩衝効果及び組立強度が不足している問題を解決するものである。
【課題を解決するための手段】
【０００６】
上記目的を達成するために、本発明は板材によって一体成形する梱包用構造を提供している。前記板材は、前記板材の相対する両側端を貫通するスコアを設置し、前記スコアによって第一側板及び第二側板を定義している。前記第一側板は、間隔を置いて設ける複数の補助罫線と、これ等補助罫線によって定義される複数の第一区間とを有し、前記第二側板は、これ等補助罫線の内の一つにそれぞれ対応するように設置する複数のクリーズと、これらクリーズによって定義されるように形成し且つ前記第一区間の内の一つとそれぞれ対応する複数の第二区間とを有し、前記スコアは半切線であって、これ等クリーズはそれぞれ半切れの態様を呈し、各前記補助罫線はそれぞれ折り目である。前記第二側板の末端にある前記第二区間は第一嵌合板を凸設し、前記第二区間にあるもう一端は第一嵌合スロットを設けている。そのうち、前記板材は、展開状態と使用状態とを具備し、前記使用状態は前記スコアにより前記第一側板及び前記第二側板を重ね合せ、また前記第一側板は各前記補助罫線を内側に折曲し、前記第二側板は各前記クリーズを外側に折曲し、前記第二側板にある前記第一嵌合板及び前記第一嵌合スロットを嵌合し、前記第一側板及び前記第二側板を囲繞することで幾何形状の収容空間を形成している。
【０００７】
本発明に係る実施例では、前記第一嵌合板を設ける前記第二区間の長さは、これに対応する前記第一区間の長さより長い。
【０００８】
本発明に係る実施例では、前記板材は、前記第二区間の内の一つの前記第一区間に相対するもう一端に形成するフラップを具備し、前記フラップの形状は前記幾何形状の収容空間に符合している。さらに、前記板材は、前記フラップが隣接していない一側に形成する第二嵌合板と、もう一つの前記第二区間に設置する前記第二嵌合板を嵌合するための第二嵌合スロットとを具備している。
【発明の効果】
【０００９】
以上の実施方法から、本発明は従来のものと比較して以下のような利点を有している。
【００１０】
本発明に係る前記板材には、前記スコアが設置されており、前記スコアの両側には対応し合う前記第一側板及び前記第二側板が定義され、さらに前記第一側板が前記第二側板に重ね合わせた後、これら前記第一区間及びこれ等第二区間は前記補助罫線及び前記クリーズを折曲することにより、物品を収納するための前記幾何形状の収容空間を形成し、また、前記第一区間及び前記第二区間で形成する二層構造によって、前記物品に対する外部からの衝撃を低減することができ、さらに、本発明は第一嵌合板が前記第一嵌合スロットに嵌合することにより、前記板材の組立強度を向上し、従来技術における段ボールが容易に脱離或いは分離するという問題を解決することができる。
【図面の簡単な説明】
【００１１】
【図１】本発明に係る展開状態を示す平面図である。
【図２】本発明に係る折曲手段を実施する際の様を示す模式図である。
【図３】本発明に係る折曲手段を実施する際の様を示す模式図である。
【図４】本発明に係る折曲手段を実施する際の様を示す模式図である。
【図５】本発明に係る折曲手段を実施する際の様を示す模式図である。
【図６】本発明に係る折曲手段を実施する際の様を示す模式図である。
【図７】本発明に係る折曲手段を実施する際の様を示す模式図である。
【図８】本発明の使用状況を示す図である。
【図９】本発明の使用状況を示す図である。
【発明を実施するための形態】
【００１２】
以下では、本発明に係る実施形態を、添付図面を参照しつつ詳細に説明する。
【００１３】
図１を参照すると、本発明は、板材１によって一体成形する梱包用構造を提供している。折曲手段を行う以前、前記板材１は、展開状態を呈しており、折曲手段を行った以後、前記板材は、使用状態となり、スマートフォン等任意の物品（図示されていない）を収納することで、収納された物品が外的要因によって損壊することを防ぐことができる。
【００１４】
詳細に説明すると、前記板材１は、相対する前記板材１の両側端を貫通するスコア１０を設け、前記スコア１０の一側に定義する第一側板１１を形成し、前記スコア１０の前記第一側板１１に相対する一側に定義する第二側板１２を形成している。前記第一側板１１の形状は、前記第二側板１２に対応している。
【００１５】
そのうち、前記第一側板１１は、間隔を置いて設ける複数の補助罫線１１１を有し、且つ前記第一側板１１は、前記補助罫線１１１によって定義する複数の第一区間１１２を形成している。一方、前記第二側板１２も、間隔を置いて設け且つそれぞれ半切れの態様を呈する複数のクリーズ１２１を有し、且つ前記第二側板１２は、前記クリーズ１２１によって定義する複数の第二区間１２２を形成している。
【００１６】
なお、これら補助罫線１１１及びこれ等クリーズ１２１は対応し合っており、前記第一区間１１２及び前記第二区間１２２もまた対応し合っている。また、前記第二側板１２はその末端にある前記第二区間１２２に凸設する第一嵌合板１２３と、もう一方の末端にある前記第二区間１２２に設置する第一嵌合スロット１２４とを有し、前記第一嵌合板１２３の形状は前記第一嵌合スロット１２４の形状と対応し合うことで、前記第一嵌合板１２３は前記第一嵌合スロット１２４に嵌合している。
【００１７】
次に、図２乃至８を参照すると、前記板材１は、下記ステップによって折曲手段を達成することで、前記板材１を使用状態としている。
【００１８】
図２乃至４のように、前記板材１は、まず、前記スコア１０に折曲を行うことで、前記第一側板１１を第二側板１２に重ね合わせている。具体的に説明すると、これ等補助罫線１１１及びこれ等クリーズ１２１を対称することで、前記第一側板１１が前記第二側板１２に重なり合った後、これ等第一区間１１２はこれ等第二区間１２２の一つにそれぞれ重なり合っている。
【００１９】
その後、図６及び図７のように、前記第一側板１１は、各前記補助罫線１１１に沿って折曲を行い、前記第二側板１２は、各前記クリーズ１２１に沿って折曲を行いことで、これ等第二区間１２２がこれ等第一区間１１２の外側を囲繞し、また、前記第一側板１１及び前記第二側板１２が囲繞することによって幾何形状の収容空間２を形成している。
【００２０】
最後に、図８のように、前記第一嵌合板１２３を前記第一嵌合スロット１２４に嵌合している。これによって、前記物品を前記幾何形状の収容空間２に収めることができ、これ等第一区間１１２及びこれ等第二区間１２２で形成する二層構造により、前記物品に対する外部からの衝撃を低減し、さらに、本発明は、第一嵌合板１２３を前記第一嵌合スロット１２４に嵌合することで、前記板材１の組立強度を高め、従来技術において容易に脱離または分離するという問題を解決することができる。
【００２１】
さらに具体的に説明すると、前記スコア１０及びこれ等クリーズ１２１はそれぞれ半切線である。例を挙げると、前記板材１は、例えば、段ボール又はプラスチック発泡ボード等の任意の板材であって、カッター工具によって前記板材１に切り口を発生させた場合、前記スコア１０は、前記板材１の前記切り口に対応する位置に形成される。
【００２２】
このように、前記スコア１０及びこれ等クリーズ１２１は、前記板材１の切断されていない部分によって構成することで、前記板材１は、前記スコア１０により単一の方向にのみ折曲し、前記第一側板１１は、これ等補助罫線１１１により単一の方向にのみ折曲するようになっている。
【００２３】
また、前記スコア１０は半切線であるため、前記第一側板１１を前記第二側板１２に重ね合うようになっている。また、これ等クリーズ１２１もそれぞれ半切線であるため、前記第二側板１２も同じくこれ等クリーズ１２１により単一の方向にのみ折曲するようになることから、前記板材１が折曲手段を行う際、これ等第二区間１２２は全てこれ等第一区間１１２の外側に位置している。なお、前記補助罫線１１１はそれぞれ折り目であって、前記第一側板１１が前記補助罫線１１１によって折曲を行う場合、前記第一側板１１の前記補助罫線１１１に位置する箇所の構造は押圧されて変形している。
【００２４】
次に、図１、２、５及び７を参照すると、本発明の実施例において、前記板材１が使用状態になると、長方体に呈することが分かる。つまり、本実施例において、これ等補助罫線１１１及びこれ等クリーズ１２１は、それぞれ前記スコア１０と９０度の挟角を呈し、且つこれ等補助罫線１１１はそれぞれ前記クリーズ１２１の内の一つと同じ直線上に位置している。また、図１で図示する距離差３のように、前記第一嵌合板１２３を設ける前記第二区間１２２の長さは、これに対応する前記第一区間１１２の長さよりさらに長く、前記第一嵌合板１２３を折曲し、第一嵌合スロット１２４に嵌合する過程において、最も前記第一嵌合板１２３に近接する前記第一区間１１２は、折曲した後の前記第一嵌合板１２３との間で間隙を形成し、前記第一嵌合板１２３から離れている前記第一区間１１２は、前記間隙に入り込むことで、前記板材１が使用状態になると前記長方体を形成することができる。また、本発明に係る前記板材１は、折曲手段によって長方体を形成することは、好ましい実施例の一つに過ぎず、本発明に係る実際の応用過程では、これ等補助罫線１１１及びこれ等クリーズ１２１の数を換えることで、前記板材１が折曲手段を行った後の前記幾何形状の収容空間２を三角形、四角形または五角形等の任意の多角形とすることができる。また、これ等補助罫線１１１間の距離及びこれ等クリーズ１２１間の距離を換えることで、前記幾何形状の収容空間２を対称的或いは非対称的に具備することができる。
【００２５】
次に、図１、２、８、及び９を参照すると、本実施例において、前記板材１は、これ等第二区間１２２のうちの一つの前記第一区間１１２に相対するもう一側に形成するフラップ１３を有し、前記フラップ１３の形状は前記幾何形状の収容空間２に符合し、前記板材１が使用状態となった時、フラップ１３を前記幾何形状の収容空間２に閉蓋することで、完全な保護を提供することができる。さらに、前記板材１は、前記フラップ１３の前記第二区間１２２に隣接していない任意の一側に形成する第二嵌合板１４と、もう一つの第二区間１２２に設置する前記第二嵌合板１４を嵌合するための第二嵌合スロット１５を有している。
【符号の説明】
【００２６】
１          板材
１０        スコア
１１        第一側板
１１１      補助罫線
１１２      第一区間
１２        第二側板
１２１      クリーズ
１２２      第二区間
１２３      第一嵌合板
１２４      第一嵌合スロット
１３        フラップ
１４        第二嵌合板
１５        第二嵌合スロット
２          幾何形状の収容空間
３          距離差
【図１】
2017100765.tif 000003
【図２】
2017100765.tif 000004
【図３】
2017100765.tif 000005
【図４】
2017100765.tif 000006
【図５】
2017100765.tif 000007
【図６】
2017100765.tif 000008
【図７】
2017100765.tif 000009
【図８】
2017100765.tif 000010
【図９】
2017100765.tif 000011